(57)【要約】【課題】マスクの使用時に、口及び鼻梁部分を空隙を開けて確実に覆うことができる立体構造マスクを提供する。【解決手段】口８ｅ及び鼻梁部８ｂを覆う被覆面２と、上部支持面３と、下部支持面４とを有し、上部支持面３の縁部３ｃを補強部材７の埋設により補強する一方、下部支持面４の縁部４ｃを超音波加工により補強部４ｃ′を形成した。【選択図】 図５
0003167135.tif 000002
【実用新案登録請求の範囲】
【請求項１】
口及び鼻梁部を覆う被覆面と、該被覆面の上縁から該被覆面の裏面に位置するように下方に折られた上部支持面と、前記被覆面の下縁から該被覆面の裏面に位置するように上方に折られた下部支持面とを有し、
使用時に前記上部，下部支持面を起立させることにより被覆面を隆起させ、該被覆面により前記口及び鼻梁部を空隙を開けて覆う立体構造マスクであって、
前記上部支持面の縁部に帯板状の補強部材を埋設する一方、
前記下部支持面の縁部に超音波加工により帯状の補強部を形成した
ことを特徴とする立体構造マスク。
【請求項２】
請求項１に記載の立体構造マスクにおいて、
前記被覆面は、横長の長方形状に形成され、前記上部支持面及び下部支持面は、前記被覆面の高さ寸法の１／２より大きな高さ寸法を有する
ことを特徴とする立体構造マスク。
【請求項３】
請求項２に記載の立体構造マスクにおいて、
前記上部支持面及び下部支持面の左，右端部の、高さ寸法の前記折られた側の略１／２部分は前記被覆面のコーナ部に結合され、残りの部分は非結合状態となっている
ことを特徴とする立体構造マスク。
【請求項４】
請求項３に記載の立体構造マスクにおいて、
前記上部支持面及び下部支持面の前記被覆面への結合ラインは、前記コーナ部の反対側を中心とする円弧状をなしている
ことを特徴とする立体構造マスク。
【考案の詳細な説明】
【技術分野】
【０００１】
本考案は、塵埃及び細菌等の異物の進入を防止するための、口及び鼻梁部分を覆う立体構造マスクに関する。
【背景技術】
【０００２】
この種の立体構造マスクとして、例えば、特許文献１には、中部構造面の上縁，下縁に上部構造面，下部構造面を一体形成するとともに、前記中部構造面及び上部，下部構造面の外側のコーナ部を切り落とした構造の立体構造マスクが開示されている。
【先行技術文献】
【特許文献】
【０００３】
【特許文献１】実用新案登録第３１０１３５２号公報
【考案の概要】
【考案が解決しようとする課題】
【０００４】
ところで、前記従来の立体構造マスクでは、中部構造面及び上部，下部構造面の外側のコーナ部を切り落としており、そのため使用時に展開し顔面に装着したとき、切り落とした箇所と顔部とに隙間ができ易く、口及び鼻梁部分を確実に覆うことができないという問題がある。
【０００５】
本考案は、前記従来の状況に鑑みてなされたもので、マスクの使用時に、口及び鼻梁部分を覆う際の空隙を大きくして圧迫感を防止でき、かつマスクと顔面との密着性を向上でき、異物の進入を確実に防止できる立体構造マスクを提供することを課題としている。
【課題を解決するための手段】
【０００６】
請求項１の考案は、口及び鼻梁部を覆う被覆面と、該被覆面の上縁から該被覆面の裏面に位置するように下方に折られた上部支持面と、前記被覆面の下縁から該被覆面の裏面に位置するように上方に折られた下部支持面とを有し、使用時に前記上部，下部支持面を起立させることにより被覆面を隆起させ、該被覆面により前記口及び鼻梁部を空隙を開けて覆う立体構造マスクであって、前記上部支持面の縁部に帯板状の補強部材を埋設する一方、前記下部支持面の縁部に超音波加工により帯状の補強部を形成したことを特徴としている。
【０００７】
請求項２の考案は、請求項１に記載の立体構造マスクにおいて、前記被覆面は、横長の長方形状に形成され、前記上部支持面及び下部支持面は、前記被覆面の高さ寸法の１／２より大きな高さ寸法を有することを特徴としている。
【０００８】
請求項３の考案は、請求項２に記載の立体構造マスクにおいて、前記上部支持面及び下部支持面の左，右端部の、高さ寸法の前記折られた側の略１／２部分は前記被覆面のコーナ部に結合され、残りの部分は非結合状態となっていることを特徴としている。
【０００９】
請求項４の考案は、請求項３に記載の立体構造マスクにおいて、前記上部支持面及び下部支持面の前記被覆面への結合ラインは、前記コーナ部の反対側を中心とする円弧状をなしていることを特徴としている。
【考案の効果】
【００１０】
請求項１の考案によれば、上部支持面の縁部に補強部材を埋設する一方、下部支持面の縁部に超音波加工により帯状の補強部を形成したので、被覆面を大きく隆起させることができ、口及び鼻梁部を覆う際の空隙を大きくでき、圧迫感を軽減できる。
【００１１】
また、上部支持面に埋設された補強部材を鼻梁部に密着するよう変形させることにより上部支持面を鼻梁部から左右の頬にかけて密着させることができる。また、下部支持面には超音波加工により補強部を形成したので、下部支持面を下顎から左右の頬にかけて密着させることができる。その結果マスクと顔面との密着性を向上して異物の進入を確実に防止することができる。
【００１２】
請求項２の考案によれば、被覆面を横長の長方形状にするとともに、前記上部支持面及び下部支持面を、前記被覆面の高さ寸法の１／２より大きな高さ寸法を有するように形成したので、マスク使用時、前記被覆面を上部支持面及び下部支持面により大きく隆起させることができ、口及び鼻梁部と前記被覆面との空隙が大きくなり、口及び鼻梁部を覆ったことによる圧迫感をより一層軽減できる。
【００１３】
請求項３の考案によれば、上部，下部支持面の高さ寸法の折られた側の略１／２部分を前記被覆面のコーナ部に結合し、残りの部分を非結合状態としたので、マスク使用時、口及び鼻梁部と前記被覆面との空隙を大きく確保しつつ、各コーナ部に隙間が生じるのを防止でき、外部からの異物の進入をより確実に防止することができる。
【００１４】
請求項４の考案によれば、前記上部，下部支持面の被覆面への結合ラインを前記コーナ部の反対側を中心とする円弧状としたので、マスク使用時、前記上部支持面及び下部支持面と顔面との密着性をさらに向上することができる。
【図面の簡単な説明】
【００１５】
【図１】本考案の実施例１に係る立体構造マスクの正面図である。
【図２】前記立体構造マスクの上部支持面を上にして折り畳んだ状態の背面図である。
【図３】前記立体構造マスクの下部支持面を上にして折り畳んだ状態の背面図である。
【図４】前記立体構造マスクの上部支持面及び下部支持面を隆起させた状態の背面図である。
【図５】前記立体構造マスクの装着状態を示す側面図である。
【考案を実施するための形態】
【００１６】
以下、本考案の実施の形態を添付図面に基づいて説明する。
【実施例１】
【００１７】
図１ないし図５は、本考案の実施例１による立体構造マスクを説明するための図である。
【００１８】
図において、１は合成樹脂繊維製の不織布シートを重ね合わせて構成された立体構造マスクである。該立体構造マスク１は、口８ｅ及び鼻梁部８ｂを覆う被覆面２と、該被覆面２の上縁２ａから該被覆面２の裏面に位置するように下方に折り曲げられた上部支持面３と、前記被覆面２の下縁２ｂから該被覆面２の裏面に位置するように上方に折り曲げられた下部支持面４とを有し、これらは一体形成されている。
【００１９】
前記被覆面２は横長の長方形状に形成され、前記上部支持面３及び下部支持面４は、前記被覆面２の高さ寸法Ｈの１／２より大きな高さ寸法ｈを有する。
【００２０】
前記被覆面２の上縁２ａと、前記上部支持面３の折り曲げ部３ａとは左右に延びる超音波加工ラインａ１により結合されている。また前記被覆面２の下縁２ｂと、前記下部支持面４の折り曲げ部４ａとは超音波加工ラインａ２により結合されている。
【００２１】
また前記上部支持面３の左，右端部３ｂ，３ｂの前記高さ寸法ｈの前記折り曲げられた側の略１／２部分は、前記被覆面２の左，右の上部コーナ部２ｃ，２ｃに、該コーナ部２ｃの反対側に中心Ｏを有する円弧状の超音波加工ラインａ３により結合されている。また前記左，右端部３ｂ，３ｂの残りの略１／２部分は、前記被覆面２からフリーの非結合状態となっている。同様に、前記下部支持面４の左，右端部４ｂ，４ｂの前記高さ寸法ｈの前記折り曲げられた側の略１／２部分は、前記被覆面２の左，右の下部コーナ部２ｄ，２ｄに、該コーナ部２ｄの反対側に中心Ｏを有する円弧状の超音波加工ラインａ４により結合されている。また前記左，右端部４ｂ，４ｂの残りの略１／２部分は、前記被覆面２からフリーの非結合状態となっている。
【００２２】
前記被覆面２の左，右の縁部２ｅ，２ｅ及び前記上部支持面３，左，右端部３ｂ，３ｂ及び下部支持面４の左，右端部４ｂ，４ｂには、合成樹脂繊維製の帯状の不織布シート５が表裏を覆うように配設され、上下方向に延びる超音波加工ラインａ７により結合されている。また、前記上部，下部支持面３，４の左，右端部３ｂ，４ｂと前記不織布シート５との間には、ゴム製の装着紐６の端部６ａが挿入固定されている。
前記上部支持面３の折り畳み状態で下側に位置する縁部３ｃには、プラスチック製の帯板状の補強部材７が埋設されている。詳細には前記上部支持面３の前記縁部３ｃを裏側に折り畳むとともに、該折り畳み部に前記補強部材７が介在され、左右に延びる超音波加工ラインａ５で結合されている。
【００２３】
前記下部支持面４の折り畳み状態で上側に位置する縁部４ｃには、超音波加工により補強部４ｃ′が形成されている。詳細には該補強部４ｃ′は、前記下部支持面４の縁部４ｃを裏側に折り畳むとともに、該折り畳み部を多数の左右に延びる超音波加工ラインａ６により結合することにより形成されている。
【００２４】
本実施例の立体構造マスク１の使用時には、使用者は、図４に示すように前記上部支持面３及び下部支持面４を上下に展開させることにより、前記被覆面２を隆起させて空隙Ａを作る。該空隙Ａ内に前記口８ｅ，鼻梁部８ｂが位置するように前記被覆面２でこれらを覆うとともに、前記装着紐６を耳８ａに掛ける。そして前記補強部材７を前記鼻梁部８ｂの形状に合わせて折り曲げることにより上部支持面３の裏面３ｄを鼻梁部８ｂから左右の頬８ｃにかけて密着させる。また、前記下部支持面４の補強部４ｃ′を下顎８ｄから前記左右の頬８ｃにかけて密着させる。
【００２５】
本実施例では、上部支持面３の縁部３ｃに補強部材７を埋設する一方、下部支持面４の縁部４ｃに超音波加工により帯状の補強部４ｃ′を形成したので、被覆面２を大きく隆起させることができ、口８ｅ及び鼻梁部８ｂを覆う際の空隙Ａを大きくでき、圧迫感を軽減できる。
【００２６】
また、上部支持面３に埋設された補強部材７を鼻梁部８ｂに密着するよう変形させることにより上部支持面３を鼻梁部８ｂから左右の頬８ｃにかけて密着させることができる。また、下部支持面４には超音波加工により補強部４ｃ′を形成したので、下部支持面４を下顎８ｄから左右の頬８ｃにかけて密着させることができる。その結果マスクと顔面との密着性を向上して異物の進入を確実に防止することができる。
【００２７】
また、被覆面２を横長の長方形状にするとともに、前記上部支持面３及び下部支持面４を、前記被覆面２の高さ寸法の１／２より大きな高さ寸法を有するように形成したので、マスク使用時、前記被覆面２を上部支持面３及び下部支持面４により大きく隆起させることができ、口８ｅ及び鼻梁部８ｂと前記被覆面２との空隙Ａが大きくなり、口８ｅ及び鼻梁部８ｂを覆ったことによる圧迫感を軽減できる。
【００２８】
また、上部，下部支持面３，４の高さ寸法の折られた側の略１／２部分を前記被覆面２のコーナ部２ｃ，２ｄに結合し、残りの部分を非結合状態としたので、マスク使用時、口８ｅ及び鼻梁部８ｂと前記被覆面２との空隙Ａを大きく確保しつつ、前記被覆面２のコーナ部２ｃ，２ｄに隙間が生じるのを防止でき、外部からの異物の進入をより一層確実に軽減することができる。
【００２９】
また、前記上部，下部支持面３，４の被覆面２への結合ラインａ３，ａ４を前記被覆面２のコーナ部２ｃ，２ｄの反対側に中心Ｏを有する円弧状としたので、マスク使用時、前記上部支持面３及び下部支持面４と顔面との密着性をさらに向上することができる。
【符号の説明】
【００３０】
１  立体構造マスク
２  被覆面
２ａ  被覆面の上縁
２ｂ  被覆面の下縁
２ｃ，２ｄ  被覆面のコーナ部
３  上部支持面
３ｃ  上部支持面の縁部
４  下部支持面
４ｃ  下部支持面の縁部
４ｃ′  補強部
７  補強部材
８ｂ  鼻梁部
８ｅ  口
ａ３，ａ４  結合ライン
【図１】
0003167135.tif 000003
【図２】
0003167135.tif 000004
【図３】
0003167135.tif 000005
【図４】
0003167135.tif 000006
【図５】
0003167135.tif 000007